(57)【要約】  【課題】自動販売機の商品取出口装置に関し、商品取出しの際、商品取出し性の向上を図るものである。  【解決手段】商品取出口前面板１５を覆い商品を受容する際に商品を保護する搬出緩衝材１６の断面を、形状が鈍角曲げ形状としたことにより、商品取出しの際、商品取出し寸法を広げ、商品取出し性を向上し、また前面板１５と搬出緩衝材１６との固定を嵌合のみで行うので、作業性の向上とコスト低減を図ることができる自動販売機の商品取出口装置を提供することができるものである。【選択図】図１
2006209472.tif 000002
【特許請求の範囲】
【請求項１】
自動販売機の前面に開口した商品取出口において、前記商品取出口の下縁部を形成する前面板と、前記前面板を覆い、前記商品が搬出された際に商品を保護する搬出緩衝材からなり、前記前面板の上端部と前記搬出緩衝材の上端部は外側に向かって傾斜していることを特徴とした自動販売機の商品取出口装置。
【請求項２】
自動販売機の前面に開口した商品取出口において、前記商品取出口の下縁部を形成する前面板と、前記前面板を覆い、前記商品が搬出された際に商品を保護する搬出緩衝材からなり、搬出緩衝材を前面板に装着する際、前記前面板の横側からスライドさせて装着し、前記前面板で商品取出口の外側に向かって形成した凸部に前記搬出緩衝材を嵌合させて固定したことを特徴とする自動販売機の商品取出口装置。
【請求項３】
搬出緩衝材は前面板を覆うように略Ｕ字状に形成され、前記搬出緩衝材で商品取出口内に位置する下端部は、前記商品取出口内に向かって円弧状に形成されていることを特徴とする請求項１または２に記載の自動販売機の商品取出口装置。
【発明の詳細な説明】
【技術分野】
【０００１】
本発明は缶入り飲料などの商品を販売する自動販売機の商品取出口装置に関するものである。
【背景技術】
【０００２】
近年、缶入り飲料などの商品を販売する自動販売機は、商品取出口の商品受容寸法を増し、商品の取出し性の向上を図ってきた。
【０００３】
まず、図４は一般に缶入り飲料などの商品を販売する従来の自動販売機の構成図である。図４において、自動販売機の本体１の前面に設けられた外扉２と、外扉２の下部に設けた商品取出口３と、断熱内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、断熱内扉４に設けられたフラッパ７を押し開けて商品取出口３の中に転がり落ち受容される。そして、自動販売機利用客は商品取出口３の前面に配した取出口扉８を開いて内部に手を差し入れ、商品を掴んで取出すことができる。
【０００６】
次に図５は、従来の自動販売機の商品取出口装置の構成図である。以下、図面を参照しながら上記従来の自動販売機の商品取出口装置を説明する。図５に示すように従来の自動販売機の商品取出口装置は、商品取出口３の底板３ａに樹脂製底部シート９と、前面板３ｂに勘合する断面逆Ｕ字状をなす硬質樹脂製の搬出緩衝材１０と、商品取出口３内部には開閉角度により、庫外から手や棒を庫内に入るのを防ぐための防盗プレート１１とから構成されている。
【０００７】
以上のように構成された自動販売機の商品取出口装置について、以下その動作を説明する。
【０００８】
まず、断熱内扉４に設けられたフラッパ７を押し開けて商品取出口３の中に転がり落ちた商品は、搬出緩衝材１０に当たり、底部シート９に落下し、商品取出口３に受容される。そして、自動販売機利用客は商品取出口３の前面に配した取出口扉８を開いて内部に手を差し入れ、商品を掴んで取出すことができる。
【特許文献１】特開２００１−２８３３０７号公報
【発明の開示】
【発明が解決しようとする課題】
【０００９】
しかしながら、上記従来の構成は、自動販売機利用客は商品取出口の内部に手を差し入れ、商品を掴む際、掴みにくいという欠点があった。それは、自動販売機の据え付け・設置において道路へのはみ出し防止のため、自動販売機の薄型構造の設計にしている。しかしながら、庫内への商品収容本数は減らさずに薄型構造の設計を行うと外扉２の奥行き寸法が縮まり、商品取出口３の奥行き寸法も必然的に縮減される。このために、断熱内扉４に設けられたフラッパ７と商品取出口３の搬出緩衝材１０との隙間が制限され、商品を手つかむ寸法が十分に確保されていないということである。
【００１０】
本発明は従来の課題を解決するもので、自動販売機の奥行き寸法を変えずに商品取出口から商品を掴みやすくすることができる自動販売機の商品取出口装置を提供することを目的とする。
【課題を解決するための手段】
【００１１】
上記従来の課題を解決するために、本発明の自動販売機の商品取出口装置は、自動販売機の前面に開口した商品取出口において、前記商品取出口の下縁部を形成する前面板と、前記前面板を覆い、前記商品が搬出された際に商品を保護する搬出緩衝材からなり、前記前面板の上端部と前記搬出緩衝材の上端部は外側に向かって傾斜しているものである。
【００１２】
これによって、自動販売機利用客は商品取出口の間口を広げることができる。
【００１３】
また、本発明の自動販売機の商品取出口装置は、自動販売機の前面に開口した商品取出口において、前記商品取出口の下縁部を形成する前面板と、前記前面板を覆い、前記商品が搬出された際に商品を保護する搬出緩衝材からなり、搬出緩衝材を前面板に装着する際、前記前面板の横側からスライドさせて装着し、前記前面板で商品取出口の外側に向かって形成した凸部に前記搬出緩衝材を嵌合させて固定したものである。
【００１４】
これによって、ビス等で固定する必要がなく、前面板の凸部に嵌合する形状を緩衝材にも形成しておけば、緩衝材を横からスライドさせて前面板に取り付けることができる。
【発明の効果】
【００１５】
本発明の自動販売機の商品取出口装置は、商品を取出す際の間口が広がるので、自動販売機利用客は商品取出口の内部に手を差し入れ、商品を掴み易くすることができる。
【００１６】
また、本発明の自動販売機の商品取出口装置は、前面板と緩衝材との固定を嵌合のみで行うので、作業性の向上とコスト低減を図ることができる。
【発明を実施するための最良の形態】
【００１７】
請求項１に記載の発明は、自動販売機の前面に開口した商品取出口において、前記商品取出口の下縁部を形成する前面板と、前記前面板を覆い、前記商品が搬出された際に商品を保護する搬出緩衝材からなり、前記前面板の上端部と前記搬出緩衝材の上端部は外側に向かって傾斜しているので商品を取出す間口寸法が広がるので、自動販売機利用客は商品取出口の内部に手を差し入れ、取り出しやすくできる。
【００１８】
請求項２に記載の発明は、自動販売機の前面に開口した商品取出口において、前記商品取出口の下縁部を形成する前面板と、前記前面板を覆い、前記商品が搬出された際に商品を保護する搬出緩衝材からなり、搬出緩衝材を前面板に装着する際、前記前面板の横側からスライドさせて装着し、前記前面板で商品取出口の外側に向かって形成した凸部に前記搬出緩衝材を嵌合させて固定したので、前面板の凸部に嵌合する形状を緩衝材にも形成しているので、緩衝材を横からスライドさせて前面板に取り付けることができ、作業性を向上しコストは低減できる。
【００１９】
請求項３に記載の発明は、請求項１または２に記載の発明でさらに、搬出緩衝材は前面板を覆うように略Ｕ字状に形成され、前記搬出緩衝材で商品取出口内に位置する下端部は、前記商品取出口内に向かって円弧状に形成されているので、商品取出口に搬出された商品が搬出緩衝材に衝突しても商品への傷つきを低減することができる。
【００２０】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２１】
（実施の形態１）
図１は、本発明の実施の形態１における自動販売機の商品取出口装置の構成図である。図２は、同実施の形態の自動販売機の商品取出口装置の商品取出口前面板部品詳細図である。図３は、同実施の形態の自動販売機の商品取出口装置の搬出緩衝材部品詳細図である。
【００２２】
図１に示すように、自動販売機１１の前面で外扉１２の下方に商品取出口１３を一体成形している。商品取出口１３の間口を覆うように取出口扉１４が開閉自在に備えられている。商品取出口１３の下縁部１３ａには商品取出口１３の間口を形成する前面板１５が形成され、前面板１５の上端部１５ａは下縁部１３ａより上方に位置するように形成されている。
【００２３】
前面板１５の上端部１５ａは断面略Ｕ字状をなす硬質樹脂製の搬出緩衝材１６によって覆われており、商品取出口１３内に位置する下端部１６ａは商品取出口１３内に向かって円弧状に形成されている。また搬出緩衝材１６は下端部１６ａとは別に前面板１５から商品取出口１３の底板１３ｂに沿って基部１６ｂが形成されている。また底板１３ｂの上部には樹脂製底部シート１７が設置され、底部シート１７の端面は下端部１６ａと基部１６ｂの間に挟まれて固定されている。
【００２４】
次に前面板１５の形状について説明すると、前面板１５は金属製材料で形成され、折り曲げ成形された上端部１５ａを有し、上端部１５ａより下方に凸部１５ｂを形成している。そして上端部１５ａは凸部１５ｂと同じ方向に傾斜している。
【００２５】
また搬出緩衝材１６は凸部１５ｂに外側から嵌合するように同様の凸部１６ｃを形成し、搬出緩衝材１６の上端部１６ｄは前面板１５の上端部１５ａを覆うように形成されている。また凸部１６ｃの下方に係合部１６ｅを形成している。
【００２６】
以上のように構成された商品取出口装置について、以下にその動作を説明する。
【００２７】
前面板１５は商品取出口１３に取付る前に、搬出緩衝材１６を先に前面板１５に取り付けてから商品取出口１３に固定する。まず搬出緩衝材１６を前面板１５の横側（断面方向）から凸部１５ｂと凸部１６ｃが嵌合するようにスライドさせて嵌め込む。
【００２８】
そして図１のように前面板１５は商品取出口１３より下方でビス等で固定され、凸部１６ｃが商品取出口１３の下縁部１３ａの上部で略同一面上に配置するように固定される。この時、係合部１６ｅは下縁部１３ａに内側から引っ掛けることで固定される。この時上端部１６ｄは取出口扉１４と当接して商品取出口１３内に埃や雨水が入らないように閉じられている。このように搬出緩衝材１６は前面板１５にビス等で固定する必要がなく、また商品取出口１３に取り付けるときも係合部１６ｅを商品取出口１３に係合させて固定するので作業性の効率化を図り、コストを低減することができる。
【００２９】
また前面板１５の上端部１５ａすなわち搬出緩衝材１６の上端部１６ｄは自動販売機１１の外側に向かって傾斜しているので商品取出口１３の間口を広くすることができる。
【００３０】
そして商品販売指令により商品収容ラック５から搬出した商品は搬出シュート６に落下し、搬出シュート６の傾斜を商品の自重で滑り落ち、断熱内扉４に設けられたフラッパ７を押し開けて商品取出口１３の中に転がり落ちる。そして利用客は商品取出口１３の前面に配した取出口扉１４を開いて内部に手を差し入れ、商品を簡単に取出すことができる。
【００３１】
また商品が商品取出口１３に搬出された時、搬出緩衝材１６に当たり底部シー地１７上に静止する。この時、下端部１６ａが商品に衝撃力を与えないように円弧状に形成されている。また下端部１６ａは基部１６ｂから枝分かれして形成されているので弾性機能を有しており商品の衝撃力を吸収することができ、さらに商品の傷つきを低減することができる。
【産業上の利用可能性】
【００３２】
以上のように、本発明にかかる自動販売機の商品取出口装置は、商品取出口前面板と、前記商品取出口前面板を覆い商品を受容する際保護する搬出緩衝材の形状を鈍角曲げ形状とし、商品を取出す際の寸法が広く、自動販売機利用客は商品取出口の内部に手を差し入れ、商品の鷲掴みができるので、缶入り飲料などの商品を販売する自動販売機以外にも、たばこや切符の自動販売機の商品取出口装置等の用途にも適用できる。
【図面の簡単な説明】
【００３３】
【図１】本発明の実施の形態１における自動販売機の商品取出口装置の構成図
【図２】同実施の形態の自動販売機の商品取出口装置の商品取出口前面板部品詳細図
【図３】同実施の形態の自動販売機の商品取出口装置の搬出緩衝材部品詳細図
【図４】従来の自動販売機の構成図
【図５】従来の自動販売機の商品取出口装置の構成図
【符号の説明】
【００３４】
１３  商品取出口
１５  前面板
１５ａ，１６ｄ  上端部
１５ｂ，１６ｃ  凸部
１６  搬出緩衝材
１６ａ  下端部
【図１】
2006209472.tif 000003
【図２】
2006209472.tif 000004
【図３】
2006209472.tif 000005
【図４】
2006209472.tif 000006
【図５】
2006209472.tif 000007